(57)【特許請求の範囲】
【請求項１】
機器を操作するタッチ式操作入力部と、前記タッチ式操作入力部へ所定周期毎または、任意のタイミングにて電圧及び電流を印加する第１の制御モードと、前記タッチ式操作入力部からの入力を認識し処理する第２の制御モードと、機器の使用時間を積算するタイマー機能を有し、積算時間に応じて前記第１の制御モードを動作させる第３の制御モードとを有する制御部と、前記第２の制御モードからの信号出力に応じて加熱動作を行う動作出力部とを備え、前記第１の制御モードは、前記機器の使用時間を前記第３の制御モードにより積算し、積算時間に対応して前記タッチ式操作入力部へ電圧及び電流を段階的に可変して印加する加熱調理機器。
【請求項２】
機器を操作するタッチ式操作入力部と、前記タッチ式操作入力部へ所定周期毎または、任意のタイミングにて電圧及び電流を印加する第１の制御モードと、前記タッチ式操作入力部からの入力を認識し処理する第２の制御モードと、機器の使用時間を積算するタイマー機能を有し、積算時間に応じて前記第１の制御モードを動作させる第３の制御モードとを有する制御部と、前記第２の制御モードからの信号出力に応じて加熱動作を行う動作出力部とを備え、前記第１の制御モードは、前記機器の使用時間を前記第３の制御モードにより積算し、積算時間に対応し、前記タッチ式操作入力部へ所定の電圧及び電流を印加する周期を段階的に可変して印加する加熱調理機器。
【請求項３】
機器を操作するタッチ式操作入力部と、前記タッチ式操作入力部へ所定周期毎または、任意のタイミングにて電圧及び電流を印加する第１の制御モードと、前記タッチ式操作入力部からの入力を認識し処理する第２の制御モードと、機器の使用時間を積算するタイマー機能を有し、積算時間に応じて前記第１の制御モードを動作させる第３の制御モードとを有する制御部と、前記第２の制御モードからの信号出力に応じて加熱動作を行う動作出力部とを備え、前記第１の制御モードは、前記機器の使用時間を前記第３の制御モードにより積算し、積算時間に対応して前記タッチ式操作入力部へ印加する電圧及び電流を可変すると共に、前記タッチ式操作入力部へ印加する周期も段階的に可変して印加する加熱調理機器。
【発明の詳細な説明】
【０００１】
【発明の属する技術分野】
本発明は、加熱調理機器に関するものである。
【０００２】
【従来の技術】
近年、熱源を電力、都市ガス及びＬＰガスとする加熱調理機器の火力コントロールをマイコン、ＩＣ等を利用した電子制御で行う機器が一般化してきている。中でも、機器の操作部において、タッチ式スイッチによるワンタッチ入力で行える操作性の向上した機器の普及もかなり進んできている。
【０００３】
図５は従来の加熱調理機器を示す構成図である。すなわち、使用者により機器を操作するタッチ式操作入力部１へ信号入力すると、制御部２により、タッチ式操作入力部１からの信号入力を認識し、それに応じた信号を動作出力部３へ出力し、加熱動作が行われる。
【０００４】
【発明が解決しようとする課題】
しかしながら、従来の加熱調理機器では、タッチ式スイッチ等によるワンタッチ入力で行える機器においては、タッチ式操作入力部を、たとえば本体の制御回路と接続する電気経路の電気接続部品は、構成の制約上、相対する電極を半田付けによる直接的な接合ではなく、スプリングやバネ圧あるいは勘合によるはめ込みなどを利用した機械的接触により電気信号伝送路を形成しているものが有る。
【０００５】
この場合、使用者により頻繁にタッチ式操作入力部へ行われる操作や長期間に渡る放置、使用開始からの経過時間、使用状況、設置環境により、場合によっては、タッチ式操作入力部を構成する電気接続部品の接合部が電気的、機械的接触の導通性を低下させ、タッチ式操作入力部からの信号入力を確実に制御部へ伝送することが困難になり、何度か同じ操作を繰り返さなければ、うまく動作しなくなる事態や、最悪の場合、特定のタッチ式操作入力部の部位で全くタッチ式操作入力部からの信号入力が制御部にて認識されなくなる可能性があるといった課題を有していた。
【０００６】
【課題を解決するための手段】
本発明は、前記従来の課題を解決するために、タッチ式スイッチからなるタッチ式操作入力部へ所定周期毎に制御部に設けられた第１の制御モードにより電圧及び電流を印加するものである。この第１の制御モードによりタッチ式操作入力部を活性化させるものである。
【０００７】
【発明の実施の形態】
請求項１に記載の発明は、機器を操作するタッチ式スイッチからなるタッチ式操作入力部と、タッチ式操作入力部へ所定の周期毎または任意のタイミングにて電圧及び電流を印加する第１の制御モードと、タッチ式操作入力部からの入力を認識し処理する第２の制御モードと、機器の使用時間を積算するタイマー機能を有し、積算時間に応じて前記第１の制御モードを動作させる第３の制御モードとを有する制御部と、前記第２の制御モードからの信号出力に応じて加熱動作を行う動作出力部とを備え、第１の制御モードを、機器の使用時間を第３の制御モードにより積算し、積算時間に対応して、前記タッチ式操作入力部へ電圧及び電流を段階的に可変して印加することにより、タッチ式操作入力部を構成する電気接続部品の接続状態が、より活性化され経時的な信頼性の低下を抑制することができる。
【０００８】
請求項２に記載の発明は、機器を操作するタッチ式スイッチからなるタッチ式操作入力部と、タッチ式操作入力部へ所定の周期毎または任意のタイミングにて電圧及び電流を印加する第１の制御モードと、タッチ式操作入力部からの入力を認識し処理する第２の制御モードと、機器の使用時間を積算するタイマー機能を有し、積算時間に応じて前記第１の制御モードを動作させる第３の制御モードとを有する制御部と、前記第２の制御モードからの信号出力に応じて加熱動作を行う動作出力部とを備え、第１の制御モードを、機器の使用時間を第３の制御モードにより積算し、積算時間に対応して、前記タッチ式操作入力部へ所定の電圧及び電流を印加する周期を段階的に可変して印加することにより、タッチ式操作入力部を構成する電気接続部品の接続状態が活性化され、経時的な信頼性の低下を抑制することができる。
【０００９】
請求項３に記載の発明は、機器を操作するタッチ式スイッチからなるタッチ式操作入力部と、タッチ式操作入力部へ所定の周期毎または任意のタイミングにて電圧及び電流を印加する第１の制御モードと、タッチ式操作入力部からの入力を認識し処理する第２の制御モードと、機器の使用時間を積算するタイマー機能を有し、積算時間に応じて前記第１の制御モードを動作させる第３の制御モードとを有する制御部と、前記第２の制御モードからの信号出力に応じて加熱動作を行う動作出力部とを備え、第１の制御モードを、機器の使用時間を第３の制御モードにより積算し、積算時間に対応して、前記タッチ式操作入力部へ電圧及び電流を段階的に可変すると共に、印加する周期も段階的に可変して印加することにより、タッチ式操作入力部を構成する電気接続部品の接続状態が効率良く活性化され、経時的な信頼性の低下を抑制することができる。
【００１０】
【実施例】
以下、本発明の実施例について、図面を用いて説明する。
【００１１】
（実施例１）
図１は、本発明の実施例１の加熱調理機器の構成図である。図１において、使用者により機器（図示せず）のタッチ式スイッチからなるタッチ式操作入力部１へ任意の操作が行われると、タッチ式操作入力部１からの入力を認識し処理する制御部２に設けられた第２の制御モード５により、動作出力部３を動作させ、加熱動作を行う。
【００１２】
また、タッチ式操作入力部１へ所定周期毎に電圧及び電流を印加する第１の制御モード４により、タッチ式操作入力部１を構成する電子部品や電気接続部品（図示せず）のバネ圧や、スプリングの押圧、勘合によるはめ込み等を利用した電極の機械的接続箇所を活性化し、経時的に発生する電極の金属接点部位の酸化膜、加熱調理機器周辺の不純物からなる塵埃により形成される高インピーダンスの被膜を排し、安定した電気的接続を維持することができる。これにより、タッチ式操作入力部１へ入力された信号は、正しく第２の制御モード５により認識され、使用者の意図どおりに動作出力部３が動作し、加熱調理が可能となる。
【００１３】
また、本実施例のタッチ式操作入力部１へ電圧及び電流を印加する第１の制御モード４を実行するタイミングを、機器の操作時とすることにより、確実にタッチ式操作入力部１を操作する毎に、タッチ式操作入力部を構成する電気接続部品の接続状態が活性化されることになり、タッチ式操作入力部１の信頼性を維持することができる。
【００１４】
また、使用者がタッチ式操作入力部１へ所望の入力操作を行っている場合は、タッチ式操作入力部への電圧及び電流を印加をする第１の制御モード４の実行を中止することで、操作中の信号入力との干渉が考えられる事態を回避し、安定した加熱動作が可能となる。
【００１５】
さらに、本実施例のタッチ式操作入力部１へ電圧及び電流を印加する第１の制御モード４の実行タイミングを、機器操作時の所定時間後とすることにより、操作入力時の信号と重なり、互いに干渉することも無く、タッチ式操作入力部１への電圧及び、電流の印加を確実に行うことができ、タッチ式操作入力部１を構成する電気接続部品の接続状態を使用者が操作入力する毎に活性化することが可能となり、操作入力時の信頼性を高めることができる。
【００１６】
また、本実施例のタッチ式操作入力部１へ電圧及び電流を印加する第１の制御モード４の実行タイミングを、機器を使用する際の電源スイッチ投入時または、機器の使用を終了し、電源スイッチを切る際に設定することにより、機器の使用、動作に殆ど影響することなく行うことができる。この結果、タッチ式操作入力部１を構成する電気接続部品の接続状態を効率的に活性化し、操作入力時の安定した信号入力に対する認識が制御部２にて可能となる。
【００１７】
（実施例２）
図２は、本発明の実施例２の加熱調理機器の構成図である。図２において、使用者により機器（図示せず）のタッチ式操作入力部１へ任意の操作が行われると、タッチ式操作入力部１からの入力を認識し処理する制御部２に設けられた第２の制御モード５により、動作出力部３を動作させ、加熱動作を行う。
【００１８】
また、機器の使用時間を積算し、タイマー機能を有する第３の制御モード６は、機器の使用積算時間に応じ、所定周期毎または、任意のタイミングにて第１の制御モード４を動作させ、タッチ式操作入力部１へ電圧及び電流を印加する。
【００１９】
これにより、必要ではないと考えられるタイミングでの第１の制御モード４を動作させることなく、機器の使用時間に応じてタッチ式操作入力部１への電圧及び電流が印加されるため、タッチ式操作入力部１を構成する電気接続部品の電極の接続状態を効率的に活性化することができる。このことにより、タッチ式操作入力部１からの入力を制御部２に設けられた第２の制御モード５にて認識し、動作出力部３を動作させ、加熱動作を平滑に行うことができる。
【００２０】
（実施例３）
図３は、本発明の実施例３のタッチ式操作入力部１へ印加する電圧及び電流と経過時間の関係を示す図である。
【００２１】
本発明の実施例を図２、図３を用いて説明する。本実施例の機器の使用時間を、制御部２に設けられた第３の制御モード６により積算し、積算される経過時間と共に、第１の制御モード４によりタッチ式操作入力部１へ電圧及び電流を段階的に可変して印加するが、その際、図３に示すように経過時間ｔに伴い、印加継続時間幅ｔｗを延長し、印加されるエネルギを増加させて印加する第１の制御モード４とすることで、経時的に発生し、発生量も多くなる傾向にある電極の金属接点部位に生ずる酸化膜、加熱調理機器周辺の不純物からなる塵埃により形成される高インピーダンスの被膜を排し、導通性を効率的に確保することが可能となる。
【００２２】
（実施例４）
図４は、本発明の実施例４のタッチ式操作入力部１へ印加する電圧及び電流と経過時間の関係を示す図である。
【００２３】
本発明の実施例を図２、図４を用いて説明する。図２、図４に示すように、第３の制御モード６により積算される経過時間ｔと共に、第１の制御モード４によりタッチ式操作入力部１へ印加する電圧及び電流のレベルを可変するが、その際、所定の値であるΔＥ分を前回に印加したレベルよりアップさせることにより、瞬時的に印加されるエネルギ量が増加し、電圧及び電流値が同じ状態とした印加継続時間のみで対応できない経時的に発生する電極の金属接点部位の酸化膜や、加熱調理機器周辺の不純物からなる塵埃により形成される高インピーダンスの被膜を排し、タッチ式操作入力部１を構成する電気接続部品の接続状態を活性化させることが可能となる。
【００２４】
なお、タッチ式操作入力部１へ印加する電圧及び電流のレベルは、必要に応じて増加、またはレベルを維持、減少しても構わない。
【００２５】
なお、機器の使用経過時間と共にタッチ式操作入力部１へ印加する電圧及び電流のレベルを所定値分アップさせると共に印加継続する時間も所定時間分を延長または、印加される電圧及び電流のエネルギが十分であるならば、逆に所定時間分を短縮させても良い。
【００２６】
また、機器の使用時間を第３の制御モード６により積算し、積算される時間に対応してタッチ式操作入力部１へ第１の制御モード４により、所定の電圧及び電流を印加する周期を段階的に短縮または可変して印加することにより、タッチ式操作入力部１を構成する機械的接触部位に経時的に生ずる不純物、酸化被膜からなる抵抗分の発生を抑制し、経過時間と共に増大傾向にある抵抗分を効率的に抑制することができる。
【００２７】
また、機器の使用時間を第３の制御モード６により積算し、積算時間に対応してタッチ式操作入力部１へ印加する電圧及び電流を可変すると共に、タッチ式操作入力部１へ印加する周期も段階的に可変して印加する第１の制御モード４により、タッチ式操作入力部１を構成する機械的接触部位に生ずる不純物、酸化被膜からなる抵抗分が増加傾向にあった場合においても効率良く早期に抑制、良好な導通性の確保が可能となる。
【００２８】
また、タッチ式操作入力部１を構成する電気接続部品の機械的接触部位に生ずる不純物、酸化被膜からなる抵抗分が接触部位の導通を阻害するに至るまでの経過時間を実験または、その他手段によるシミュレーションによって予め予測し、その時間までの間を機器の使用積算時間として設定しておけば、所定時間に到達後、第１の制御モード４により、所定のタイミングにてタッチ式操作入力部１へ所定の電圧及び電流を印加すれば、機械的接触部位の導通に支障を生ずる可能性が現れるまでに対策が取れ、タッチ式操作入力部の信頼性維持が可能となる。
【００２９】
なお、機器の使用積算時間が所定時間に達し、第１の制御モード４が動作した後は、所定の周期または、タイミングにて所定の電圧及び電流をタッチ式操作入力部１へ印加すれば、継続してタッチ式操作入力部１の信頼性を維持できる。
【００３０】
【発明の効果】
以上のように請求項１〜３に記載の発明によれば、本発明の加熱調理機器によれば、次の効果が得られる。
【００３１】
また、機器の使用時間を積算し、タイマー機能を有する第３の制御モードにより、機器の使用積算時間に応じ、所定周期毎または、任意のタイミングにてタッチ式操作入力部へ第１の制御モードを動作させ、実際に必要であると考えられるタイミングでの電圧及び電流を印加するため、タッチ式操作入力部１を構成する電気接続部品の接続状態を効率良く活性化することができる。これにより、タッチ式操作入力部からの入力を制御部にて認識し、動作出力部を動作させ、加熱調理を平滑に行うことができる。
【００３２】
また、機器の使用時間の積算時間に応じ、タッチ式操作入力部へ印加する電圧及び電流を段階的に可変または印加する周期を可変することで、より効率的にタッチ式操作入力部を活性化することが可能となる。
【図面の簡単な説明】
【図１】  本発明の実施例１の加熱調理機器の構成図
【図２】  本発明の実施例２の加熱調理機器の構成図
【図３】  本発明の実施例３のタッチ式操作入力部１へ印加する電圧及び電流と経過時間の関係を示す図
【図４】  本発明の実施例４のタッチ式操作入力部１へ印加する電圧及び電流と経過時間の関係を示す図
【図５】  従来の加熱調理機器を示す構成図
【符号の説明】
１  タッチ式操作入力部
２  制御部
３  動作出力部
４  第１の制御モード
５  第２の制御モード
６  第３の制御モード
【図１】
0003678223.tif 000002
【図２】
0003678223.tif 000003
【図３】
0003678223.tif 000004
【図４】
0003678223.tif 000005
【図５】
0003678223.tif 000006